(57)【要約】      （修正有）【課題】  支持金物の位置調整及び固定作業が簡単で、作業効率の悪化及びコストアップを回避することができるパネルの支持金物及びパネルの支持構造を提供する。【解決手段】  パネルを取り付ける為に鉄骨柱3の室外側フランジ3aの中心付近に上下方向に設けられた２本の下地鋼材5の間に、平面が長方形である水平部とその水平部長辺の一方より鉛直方向に立ち上がる垂直部を有し、その垂直部の幅は水平部の長辺より短く、水平部の中心付近より立ち上がっていることを特徴とするパネルの支持金物10の垂直部を挿入し、且つ下地鋼材5に当接する部分を固定することにより、その水平部にパネルを載置する。【選択図】  図４
2007113241.tif 000002
【特許請求の範囲】
【請求項１】
平面が長方形をなす水平部と、該水平部の長辺の一辺から鉛直方向に立ち上がる垂直部を有するパネルの支持金物であって、前記垂直部の幅が水平部の長辺の長さより短く、かつ水平部の中心付近より立ち上がっていることを特徴とするパネルの支持金物。
【請求項２】
前記垂直部の幅が、鉄骨柱に取り付ける２本の下地鋼材の間隔よりやや狭いことを特徴とする請求項１に記載のパネルの支持金物。
【請求項３】
建築躯体の鉄骨柱にパネルを取り付けて支持する構造であって、鉄骨柱の室外側フランジの中心付近に上下方向に２本の下地鋼材を所定の間隔で取り付け、該２本の下地鋼材の間に請求項１に記載のパネルの支持金物の垂直部を挿入し、且つ支持金物が下地鋼材に当接する部分を溶接固定した後、その支持金物の水平部にパネルを載置して支持することを特徴とするパネルの支持構造。
【請求項４】
前記２本の下地鋼材を、鉄骨柱に取り付けた断面が馬蹄形である金物を挟んで固定することを特徴とする請求項３に記載のパネルの支持構造。
【発明の詳細な説明】
【技術分野】
【０００１】
本発明は、建築躯体の鉄骨柱の室外側フランジにパネルを取り付ける際の、パネルを支持する支持金物及びそれを使用したパネルの支持構造に関するものである。
【背景技術】
【０００２】
従来、パネルの支持金物および支持構造としては、例えば図６に示すような直交する２片１１、１２を有しこれら２片の交差部であって長さ方向の端部から各々の片に下地アングルのフランジを挿入するための溝１３を形成したパネルの支持金物２０、２１を使用して、図７に示すように、この支持金物２０、２１の溝１３を建物の縦方向に配置した下地アングル５、５のフランジに差し込んで該フランジを片によって挟み、一方の片とフランジを溶接固定した後、パネルの支持金物２０、２１に図示省略のパネルを載置して固定する方法が提案されている（例えば、特許文献１参照。）。
【０００３】
この支持構造においては、図７に示す支持金物２０、２１が鉄骨柱の室外側フランジの中心付近に上下方向に設けられた２本の下地鋼材５、５の各々に固定され、計２個の支持金物２０、２１にて２枚のパネルの各端部を支持している。
したがって、支持金物の位置調整及び固定作業が２回必要となること、並びに支持金物を左右２種類必要とすることから、作業効率の悪化及びコストアップ、更には左右別使いの煩雑性があるという問題があった。
【０００４】
また、図８に示す支持構造のように、鉄骨柱３の室外側フランジの中心付近に上下方向に設けられた２本の下地鋼材５、５を跨ぐように、断面Ｌ字型の支持金物３０を固着させた場合については、位置調整による作業効率の向上や種類一本化による煩雑さ解消は可能となるが、図９のようにパネル４０、４１を取り付けた場合には、支持金物３０とその直下に取付けられたパネル４１の上部が干渉し、施工現場にてそのパネルの干渉部６を切り欠く必要がある。この場合、切り欠きによる作業手間の発生や切り欠き屑の飛散による作業環境の悪化を招いているという問題があった。
【特許文献１】特開平７−３４５７８号公報
【発明の開示】
【発明が解決しようとする課題】
【０００５】
本発明は上記問題を解消するためになされたものであって、１種類の支持金物を使用して、支持金物の位置調整及び固定作業が簡単で、施工現場にてそのパネルの干渉部分を切り欠く必要がなく、作業手間の発生や切り欠き屑の飛散による作業環境の悪化を招く心配が無く、作業効率の悪化及びコストアップを回避することができるパネルの支持金物及びパネルの支持構造を提供することを目的とする。
【課題を解決するための手段】
【０００６】
上記課題を解決する為に本発明は、建築躯体の鉄骨柱にパネルを取り付け支持する構造において、パネルを取り付ける為に鉄骨柱の室外側フランジの中心付近に上下方向に設けられた２本の下地鋼材の間に、平面が長方形である水平部とその水平部長辺の一方より鉛直方向に立ち上がる垂直部を有し、その垂直部の幅は水平部の長辺より短く、水平部の中心付近より立ち上がっていることを特徴とするパネルの支持金物の垂直部を挿入し、且つ下地鋼材に当接する部分を固定することにより、その水平部にパネルを載置することを特徴としている。
すなわち、本発明に係るパネルの支持金物は、平面が長方形をなす水平部と、該水平部の長辺の一辺から鉛直方向に立ち上がる垂直部を有するパネルの支持金物であって、前記垂直部の幅が水平部の長辺の長さより短く、かつ水平部の中心付近より立ち上がっていることを特徴とするものであり、また、本発明の他のパネルの指示金物は、前記垂直部の幅が、鉄骨柱に取り付ける２本の下地鋼材の間隔よりやや狭いことを特徴とするものである。
更に、本発明に係るパネルの支持構造は、建築躯体の鉄骨柱にパネルを取り付けて支持する構造であって、鉄骨柱の室外側フランジの中心付近に上下方向に２本の下地鋼材を所定の間隔で取り付け、該２本の下地鋼材の間に上記に記載のパネルの支持金物の垂直部を挿入し、且つ支持金物が下地鋼材に当接する部分を溶接固定した後、その支持金物の水平部にパネルを載置して支持することを特徴とするものであり、また、本発明に係る他のパネルの支持構造は、前記２本の下地鋼材を、鉄骨柱に取り付けた断面が馬蹄形である金物を挟んで固定することを特徴とするものである。
【発明の効果】
【０００７】
本発明に係るパネルの支持金物及びパネルの支持構造によれば、作業効率の向上とコストダウンを可能にするだけではなく、パネルの切り欠き屑による作業環境の悪化を招くことなく簡単にパネルを取り付けることが可能となる。
【発明を実施するための最良の形態】
【０００８】
以下、本発明の実施例を図面によって説明する。
図１は、本発明に係る支持金物の外観斜視図である。また、図２から図５は図１に示す本発明に係る支持金物を使用して、パネルを鉄骨柱に設けられた下地鋼材へ取り付けるための支持構造を説明する斜視図と断面図である。
【０００９】
先ず、図１に示す支持金物について説明する。
本発明の支持金物１０は、たとえば平面が５８×１２５ｍｍ程度の長方形をなし、厚さが６ｍｍ程度の平板からなる水平部１を有し、その水平部１の長辺の一辺１ａから幅３５ｍｍ程度で鉛直方向に約６０ｍｍ程度立ち上がった垂直部２を有する支持金物であって、その垂直部２は水平部１の長辺の中心付近から立ち上げて形成してある。
【００１０】
また、この垂直部２の水平部側鉛直面２ａは、水平部の垂直部側長辺小口面１ａより３ｍｍ程度離れ、且つ平行に立ち上がりを形成している。垂直部２の幅ｗは、後述の建築躯体の鉄骨柱にパネルを取り付けた２本の下地鋼材の間隔よりもやや狭くして、該２本の下地鋼材の間に嵌めるようにする。
【００１１】
次に、上記支持金物を使用したパネルの支持構造について以下に説明する。
先ず、図２のように、建築躯体の鉄骨柱３の室外側フランジ３ａ上に下地鋼材５，５を上下に配するために、断面が馬蹄形である金物４を上下方向に９００ｍｍ程度の間隔で複数配置して溶接により固定する。
次に、図３のように、前記断面が馬蹄形である金物４の両側面に、上下に配した２本の下地鋼材５、５を溶接により固定する。
【００１２】
次に、図４のように、本発明の支持金物１０の垂直部２を先に固定してある２本の下地鋼材５、５間に挿入し、水平面を所定の高さに位置調整した後、支持金物１０が下地鋼材５、５に当接する４辺において溶接により固定する。
この支持金物１０の取り付けは、積層するパネルが３〜５枚毎とすることが適当であり、パネルの重量により決定する。
【００１３】
そして、この支持金物１０の水平部１に図示省略のパネルを載置し、面外方向の外れ防止に対しては図５に示すように、取付金物７とパネル内のアンカー８をボルト９により緊結し、その後前記支持金物１０を下地鋼材５、５に溶接固定する。
最後に、残りのパネルについては、順次下層のパネルに載置し、前述の通り面外方向の外れ防止用の取付金物によってパネルを固定する作業を行い、この一連の作業を繰り返し、所定のパネルが取付完了した段階で、次の支持金物を所定の位置に前述の通り溶接により固定する。
以上の作業を繰返し、パネルの取り付けを完了する。
【産業上の利用可能性】
【００１４】
以上、本発明に係るパネルの支持金物によれば、従来の支持金物２０、２１や、支持金物３０に比し、パネルに対する切り欠き作業を行う必要がなく、また、１種類の支持金具により取り付けることが可能であるから、作業効率を向上させることが可能となる。
更に、本発明に係るパネルの支持金物によれば、従来の支持金物２０、２１のように、上下方向に設けられた２本の下地鋼材の外側にて溶接されるのではなく、上下方向に設けられた２本の下地鋼材の内側にて溶接されることから、支持金物の水平部の長さを必要以上に長くする必要がないので、材料費等のコストダウンが可能となり、産業上の利用価値は多大である。
【図面の簡単な説明】
【００１５】
【図１】本発明の支持金物を示す外観斜視図である。
【図２】本発明のパネルの支持構造における断面が馬蹄形である金物の取り付けを示す斜視図である。
【図３】本発明のパネルの支持構造における下地鋼材の取り付けを示す斜視図である。
【図４】本発明のパネルの支持構造におけるパネルの支持構造を示す斜視図である。
【図５】図４に示すパネルの支持構造の断面を示す図である。
【図６】従来のパネルの支持金物の外観斜視図である。
【図７】従来のパネルの支持構造の一例を示す斜視図である。
【図８】従来のパネルの支持構造の他の例を示す斜視図である。
【図９】従来のパネルの支持構造によりパネルを支持した場合の断面図である。
【符号の説明】
【００１６】
１  水平部
２  垂直部
３  鉄骨柱
４  断面が馬蹄形である金物
５  下地鋼材
６  干渉部
７  取付金物
８  アンカー
９  ボルト
１０、２０、２１、３０  パネルの支持金物
４０、４１  パネル
【図１】
2007113241.tif 000003
【図２】
2007113241.tif 000004
【図３】
2007113241.tif 000005
【図４】
2007113241.tif 000006
【図５】
2007113241.tif 000007
【図６】
2007113241.tif 000008
【図７】
2007113241.tif 000009
【図８】
2007113241.tif 000010
【図９】
2007113241.tif 000011